(57)【要約】本開示は、医薬単位を保持し、そして一度に１回分の医薬単位を分配するためのパッケージを提供する。同様に、本発明は、医薬単位の分配を一度に１回分の医療単位に制限するパッケージ挿入物を提供する。本発明の種々の実施形態は、パッケージを提供し、このパッケージは、複数の医薬単位を保持し得る容器であって、一度に複数の医薬単位の流れに適応するために充分に大きい第一の開口部を有する、容器；この第一の開口部のための蓋；およびこの第一の開口部を封鎖する関係でこの容器と接続される挿入物を備える。
2011522749.tif 000002
【特許請求の範囲】
【請求項１】
複数の医薬単位を保持し得る容器であって、該容器は、一度に複数の医薬単位の流れに適応するために充分に大きい第一の開口部を備える、容器、
該第一の開口部のための蓋、ならびに
該第一の開口部を封鎖する関係で該容器に接続される挿入物であって、
該第一の開口部を封鎖する関係にある閉鎖壁、
該閉鎖壁の分配開口部であって、一度に１回分の医薬単位を該容器から分配するためのサイズにされている、分配開口部、および
該分配開口部から間隔を空けて通路を形成するガイド壁であって、該通路は、１回分の医薬単位のみが該分配開口部へと通ることを可能にする、ガイド壁、
を備える、挿入物、
を備える、パッケージ。
【請求項２】
前記容器が、前記第一の開口部またはその近くにネックを備え、そして前記挿入物が、該ネックまたはその近くに位置する、請求項１に記載のパッケージ。
【請求項３】
前記挿入物が前記容器の前記ネックにしっかりと接続されている、請求項２に記載のパッケージ。
【請求項４】
前記挿入物が、前記ネックの外側で前記容器にしっかりと接続されるように適合されている、請求項２に記載のパッケージ。
【請求項５】
前記挿入物が、前記ネックの内側で前記容器にしっかりと接続されるように適合されている、請求項２に記載の挿入物。
【請求項６】
前記挿入物が、ねじばめ、ルアーロックばめ、摩擦ばめ、スナップばめ、または化学的接着剤によって、前記ネックに固定される、請求項２に記載のパッケージ。
【請求項７】
前記挿入物が、前記ネックと係合するリップを備える、請求項１に記載のパッケージ。
【請求項８】
前記パッケージが、少なくとも１つのラベル；および／または前記医薬単位の使用もしくは投与に関する指示書を備える、請求項１に記載のパッケージ。
【請求項９】
少なくとも１つの医薬単位および請求項１に記載のパッケージを備える、薬学的製品。
【請求項１０】
前記挿入物が前記閉鎖壁により閉鎖される側壁を備える、請求項１に記載のパッケージ。
【請求項１１】
前記閉鎖壁が頂壁である、請求項１に記載のパッケージ。
【請求項１２】
前記パッケージが、少なくとも１つのラベル；および／または前記医薬単位の使用もしくは投与に関する指示書を備える、請求項１に記載のパッケージ。
【請求項１３】
医薬単位を保持するための容器であって、一度に１回分の医薬単位のみを該容器から分配するためのサイズにされた分配開口部を有する、容器、
該分配開口部のための蓋、および
該分配開口部から間隔を空けて通路を形成するガイド壁であって、該通路が、１回分の医薬単位のみが該分配開口部へと通ることを可能にする、ガイド壁、
を備える、パッケージ。
【請求項１４】
前記パッケージが、少なくとも１つのラベル；および／または前記医薬単位の使用もしくは投与に関する指示書を備える、請求項１３に記載のパッケージ。
【請求項１５】
複数の医薬単位を保持し得る容器を備えるパッケージのための挿入物であって、該容器は、一度に複数の医薬単位の流れに適応するために充分に大きい第一の開口部を備え、該挿入物は、
該容器に接続されるように適合された側壁、
該側壁を閉鎖し、そして該第一の開口部を封鎖する関係である、閉鎖壁、
該閉鎖壁の分配開口部であって、一度に１回分の医薬単位を該容器から分配するためのサイズにされている、分配開口部、および
該分配開口部から間隔を空けて通路を形成するガイド壁であって、該通路は、１回分の医薬単位のみが該分配開口部へと通ることを可能にする、ガイド壁、
を備える、挿入物。
【請求項１６】
前記容器が、前記第一の開口部またはその近くにネックを備え、そして前記挿入物が、該ネックまたはその近くに位置する、請求項１５に記載の挿入物。
【請求項１７】
前記挿入物が、前記容器の前記ネックにしっかりと接続されている、請求項１６に記載の挿入物。
【請求項１８】
前記挿入物が、ねじばめ、ルアーロックばめ、摩擦ばめ、スナップばめ、溶接または化学的接着剤によって、前記ネックに固定される、請求項１７に記載の挿入物。
【請求項１９】
前記挿入物が、前記ネックと係合するように適合されたリップを備える、請求項１８に記載の挿入物。
【請求項２０】
前記挿入物が、前記ネックの外側に接続されるように適合されている、請求項１６に記載の挿入物。
【請求項２１】
前記挿入物が、前記ネックに固定されるように適合されている、請求項１６に記載の挿入物。
【請求項２２】
前記側壁が前記ネックと類似の寸法を有する、請求項２１に記載の挿入物。
【請求項２３】
少なくとも１つの医薬単位、および請求項１５に記載の挿入物を備えるパッケージを備える、薬学的製品。
【請求項２４】
自由に流動する複数の医薬単位を収容する容器からの医薬単位の分配を、一度に１回分の医薬単位に制限する方法であって、該方法は、請求項１５に記載の挿入物を、複数の医薬単位を保持し得る容器を備えるパッケージ内に配置する工程を包含し、該容器は、一度に複数の医薬単位の流れに適応するために充分に大きい第一の開口部を備える、方法。
【発明の詳細な説明】
【技術分野】
【０００１】
（発明の分野）
本発明は、医薬単位を保持し、そして一度に１回分の医薬単位を分配するためのパッケージに関する。さらに、本発明は、一度に１回分の医薬単位を分配するためのパッケージ挿入物に関する。
【背景技術】
【０００２】
（背景）
一般に、医薬単位（例えば、錠剤、カプセル剤、カプレット、フィルム、ゲルなど）は、包装ライン操作中に容器を満たすことを容易にする目的で、開口部を通して一度に複数の医薬単位の流れを受け入れて可能にするために充分に大きい開口部を有する、パッケージ（例えば、プラスチック瓶）に収容される。プラスチック瓶は、本質的に安価であり、そして包装ラインで処理することが簡単であり、プラスチック瓶を、経口薬物製品のための一般的に使用されるパッケージにしている。
【０００３】
しかし、このようなパッケージは、消費者の細かい運動能力が制限されている場合に特に、消費者が所望の数の医薬単位を分配するように限定することを困難にし得る。細かい運動能力が制限されている消費者としては、高齢者または神経学的障害（例えば、パーキンソン病）を患う患者などの患者が挙げられる。その結果、このような患者は、瓶などのパッケージから多すぎる医薬単位を望ましくなく分配し得る。多すぎる医薬単位の望ましくない分配からのこぼれが生じ得、これによって１つ以上の医薬単位が床に落ち、紛失するか、回収可能になるか、または汚染されることもまた懸念される。このことは、おそらく非常に高価である医薬単位の損失を生じ得る。
【０００４】
１回分の単位用量を分配するパッケージ（例えば、ブリスターパック）が利用可能であるが、これらの包装材は依然として、問題を提示する。薬学的単位用量を含むブリスターパックまたはカードは、単位用量を保有する一次パッケージとしてのブリスターパックと一緒に販売される。パーキンソン病などの神経学的障害を患う患者による分配中に、単位用量が床に落ちるか、または他の様式で紛失されるか、回収可能になるか、もしくは汚染されるという問題が、依然として存在する。
【発明の概要】
【発明が解決しようとする課題】
【０００５】
従って、医薬単位用量の一度の分配を制限する、単位用量を含むパッケージを提供することが望ましい。
【課題を解決するための手段】
【０００６】
（要旨）
本発明の種々の実施形態は、パッケージを提供し、このパッケージは、複数の医薬単位を保持し得る容器であって、一度に複数の医薬単位の流れに適応するために充分に大きい第一の開口部を有する、容器；この第一の開口部のための蓋；およびこの第一の開口部を封鎖する関係でこの容器と接続される挿入物を備える。この挿入物は、この第一の開口部を封鎖する関係の閉鎖壁、この閉鎖壁の分配開口部であって、一度に１回分の医薬単位をこの容器から分配するためのサイズにされている、分配開口部、およびこの分配開口部から間隔を空けて、１回分の医薬単位のみがこの分配開口部へと通ることを可能にする通路を形成するガイド壁を備え得る。
【０００７】
この容器は、この第一の開口部またはその近くにネックを有し得、そしてこの挿入物は、このネックまたはその近くに位置する。この挿入物は、この容器のネックの内側または外側のいずれかで、このネックにしっかりと接続され得る。この挿入物は、ねじばめ、ルアーロックばめ、摩擦ばめ、スナップばめ、溶接または化学的接着剤（例えば、膠もしくは他の結合材料）によって、このネックに固定され得る。この挿入物は、このネックと係合するリップを有し得る。このパッケージは、少なくとも１つのラベル；および／またはこの医薬単位の使用もしくは投与についての指示書を有し得る。
【０００８】
本発明の他の実施形態は、少なくとも１つの医薬単位およびパッケージを備える、薬学的製品を提供する。上記挿入物は、閉鎖壁により閉じられる側壁を有し得、そしてこの閉鎖壁は、頂壁であり得る。
【０００９】
さらなる実施形態は、パッケージを提供し、このパッケージは、医薬単位を保持するための容器であって、一度に１回分の医薬単位のみをこの容器から分配するためのサイズにされた分配開口部を有する、容器；この分配開口部のための蓋；およびこの分配開口部から間隔を空けて、１回分の医薬単位のみがこの分配開口部へと通ることを可能にする通路を形成する、ガイド壁を備える。
【００１０】
なおさらなる実施形態は、パッケージのための挿入物を提供し、このパッケージは、複数の医薬単位を保持し得る容器を備え、この容器は、一度に複数の医薬単位の流れに適応するために充分に大きい第一の開口部を備える。この挿入物は、この容器に接続されるように適合された側壁、この側壁を閉鎖し、この第一の開口部を封鎖する関係にある閉鎖壁、この閉鎖壁の分配開口部であって、一度に１回分の医薬単位をこの容器から分配するためのサイズにされた分配開口部、およびこの分配開口部から間隔を空けて、１回分の医薬単位のみがこの分配開口部へと通ることを可能にする通路を形成する、ガイド壁を備える。
【００１１】
この容器は、この第一の開口部またはその近くにネックを有し得、そしてこの挿入物は、このネックまたはその近くに位置する。この挿入物は、ねじばめ、ルアーロックばめ、摩擦ばめ、スナップばめ、溶接または化学的接着剤によって、このネックにしっかりと接続され得る。この挿入物は、このネックと係合するように適合されたリップを有し得る。この挿入物は、このネックの外側または内側に接続されるように適合され得る。側壁は、このネックと類似の寸法を有し得る。
【００１２】
別の実施形態は、少なくとも１つの医薬単位、および挿入物を含むパッケージを備える、薬学的製品を提供する。
【００１３】
他の実施形態は、自由に流動する複数の医薬単位を収容する容器からの医薬単位の分配を、一度に１回分の医薬単位に制限する方法を提供し、この方法は、複数の医薬単位を保持し得る容器を備えるパッケージに挿入物を配置する工程を包含し、この容器は、一度に複数の医薬単位の流れに適応するために充分に大きい第一の開口部を備える。
【００１４】
本発明の１つの局面に従って、１回分の医薬単位を分配するためのパッケージが提供される。１つの実施形態において、このパッケージは、複数の医薬単位を分配するために充分に大きい第一の開口部を有する容器、この第一の開口部のための取り外し可能な蓋、およびこの第一の開口部を封鎖する関係でこの容器に接続された挿入物を備える。この挿入物は、この第一の開口部を封鎖する関係である閉鎖壁、この閉鎖壁の分配開口部であって、一度に１回分の医薬単位をこの容器から分配するためのサイズにされている、分配開口部、およびこの分配壁から間隔を空けて、１回分の医薬単位のみがこの分配開口部へと通ることを可能にする通路を形成するガイド壁を備える。
【００１５】
特定の実施形態において、この容器は、第一の開口部を有するネックを備え、上記挿入物は、このネックに接続される。１つの実施形態において、この挿入物は、このネックの内側に接続される。特定の好ましい実施形態において、この挿入物がこの容器内に落ちることを防止するための設備が存在する。１つの好ましい実施形態において、この設備は、この挿入物上のリップを備え、このリップがこのネックに係合する。別の実施形態において、この挿入物は、このネックの外側に接続される。いずれの実施形態においても、この挿入物は、このネックに固定される。
【００１６】
特定の実施形態において、この挿入物の側壁は、この容器のネックと類似の寸法を有する。１つの実施形態において、閉鎖壁は、頂壁である。特定の好ましい実施形態において、この挿入物は、カップ形状を有する。
【００１７】
特定の実施形態において、ガイド壁は、閉鎖壁に対して次第に広がる角度で延びる。１つの実施形態において、このガイド壁は、閉鎖壁および分配開口部に隣接する位置で側壁に接続され、そしてこの閉鎖壁に対して内向きに、次第に広がる角度で伸びる。１つの実施形態において、このガイド壁は、実質的に平坦である。１つの実施形態において、このガイド壁は、実質的に半円形の形状を有する。
【００１８】
１つの実施形態において、このパッケージは、医薬単位の使用／投与情報に関する、少なくとも１つのラベルおよび／または指示書を備える。
【００１９】
本発明の別の局面に従って、医薬単位を保持および分配するための容器を有するパッケージのための挿入物が提供され、この容器は、複数の医薬単位を分配するために充分に大きい第一の開口部を有する。この挿入物は、この容器に接続されるように適合された側壁、この側壁を閉鎖してこの第一の開口部を封鎖する関係にある閉鎖壁、一度に１回分の医薬単位をこの容器から分配するためのサイズにされた、閉鎖壁の第二の分配開口部、およびこの分配開口部から間隔を空けて１回分の医薬単位のみがこの分配開口部へと通ることを可能にする通路を形成するガイド壁を備える。
【００２０】
別の実施形態において、このパッケージは、医薬単位を保持するための容器であって、一度に１回分の医薬単位のみをこの容器から分配するためのサイズにされた分配開口部を有する、容器、この分配開口部のための取り外し可能な蓋、およびこの分配開口部から間隔を空けて１回分の医薬単位のみがこの分配開口部へと通ることを可能にする通路を形成するガイド壁を備える。１つの実施形態において、このパッケージは、医薬単位の使用／投与情報に関する、少なくとも１つのラベルおよび／または指示書を備える。
【００２１】
本発明の別の局面に従って、最終使用者による医薬単位の分配を、一度に１回分の医薬単位に制限する方法が提供され、この方法は、本発明の上記パッケージまたは挿入物のうちのいずれかを、この最終使用者に提供する工程を包含する。１つの実施形態において、最終使用者が１回分の医薬単位を落とす危険性が低下する。１つの実施形態において、この最終使用者は、神経学的疾患を患う患者である。
【００２２】
本発明の上記特徴および他の特徴は、添付の図面と一緒に読まれるべきである以下の詳細な説明から、容易に明らかになる。
【図面の簡単な説明】
【００２３】
【図１】図１は、本発明の１つの実施形態によるカップ型挿入物を有するパッケージの分解斜視図である。
【図２】図２は、取り外し可能な蓋を取り付けたパッケージおよび挿入物の垂直断面図である。
【図３】図３は、逆さにされて１回分の医薬単位を分配していることを示す、パッケージおよび挿入物の垂直断面図である。
【図４】図４は、挿入物の斜視図である。
【図５】図５は、挿入物の側面立面図である。
【図６】図６は、挿入物の上平面図である。
【図７】図７は、挿入物の底平面図である。
【図８】図８は、図７の線８−８に沿って見た、図７の挿入物の断面図である。
【図９】図９は、本発明の別の実施形態による、成形されたカップ型容器を有するパッケージの分解斜視図である。
【図１０】図１０は、取り外し可能な蓋を備える、図９のパッケージの垂直断面図である。
【発明を実施するための形態】
【００２４】
（詳細な説明）
図面を詳細に参照し、最初に図１〜図３を参照すると、本発明が一緒に使用されるパッケージ１０は、容器１１（この容器は、側壁１２、および側壁１２の下端を閉鎖する底壁１４、複数の医薬単位を分配するために充分に大きい開口部１８を有する）、ならびに開口部１８を取り外し可能に閉鎖するための取り外し可能な蓋２２を備える。このパッケージは、任意の適切な形状（例えば、箱型、円筒形、三角形、円形など）であり得る。同様に、このパッケージは、任意の適切な材料（ガラス、プラスチック、金属などが挙げられる）から作製され得る。１つの実施形態において、このパッケージは瓶であり、そしてこの取り外し可能な蓋は、小児が取り扱えない特徴を有するキャップである。
【００２５】
取り外し可能な蓋２２は、開口部１８から完全に取り外され得るか、または適切な回動、掛け金もしくは蝶番機構で取り外し可能に接続され得る。好ましくは、取り外し可能な蓋２２は、小児が取り扱えない特徴を備える。特定の実施形態において、取り外し可能な蓋２２は、側壁２４、および側壁２４の上端を閉鎖する頂壁２６を有する。
【００２６】
特定の実施形態において、容器１１は、この容器の側壁１２の上端にネック１６を有し、このネックは、好ましくは、開口部１８を有する。１つの実施形態において、ネック１６の外側表面は、ねじ山２０を備える。特定の実施形態において、めねじ２８が、取り外し可能な蓋の側壁２４の内側表面に提供されて、従来の様式でねじ山２０と螺合により係合する。
【００２７】
本発明に従って、挿入物３０は、パッケージ１０の容器１１と一緒に使用するために、特別に適合される。挿入物３０は、開口部１８を封鎖する関係で容器１１に接続され、そして開口部１８を閉鎖する関係である閉鎖壁、この閉鎖壁の分配開口部３６であって、一度に１回分の医薬単位をこの容器から分配するためのサイズにされた分配開口部３６、およびこの分配開口部から間隔を空けて、１回分の医薬単位のみがこの分配開口部へと通ることを可能にする通路を形成するガイド壁４２を備える。この閉鎖壁は、任意の適切な形状（平坦または湾曲（例えば、凸状）が挙げられるが、これらに限定されない）であり得る。１つの実施形態において、この挿入物は、容器１１と接続されるように適合された側壁３２を備え、この側壁は、閉鎖壁により閉鎖される。１つの実施形態において、この閉鎖壁は、側壁３２の頂部にあり、そして本明細書中で、頂壁３４と称される。１つの実施形態において、側壁３２は、ネック１６と類似の寸法を有するが、本発明はそれにより限定されない。この挿入物は、任意の適切な形状（カップ型が挙げられるが、これに限定されない）であり得る。
【００２８】
１つの実施形態において、挿入物３０は、ネック１６内に嵌る。挿入物３０は、多数の様式でネック１６内に固定され得る。例えば、挿入物３０は、ネック１６内に摩擦ばめされ得る。挿入物３０がパッケージ１０の容器１１内に落ちることを防止する目的で、リップ３８が、挿入物の側壁３２の上縁部に提供され得、このリップは、ネック１６の上縁部の切り込み肩部４０上に載る。リップ３８は、挿入物の頂壁３４の延長部として形成され得る。他の任意の制限設備（例えば、棚、溝、チャネルなどが挙げられる）が使用され得ることが理解される。あるいは、またはさらに、挿入物３０は、ネック１６に接着、超音波溶接などをされ得る。
【００２９】
挿入物３０がネック１６に挿入されるように議論されたが、挿入物３０は同様に、ネック１６と一体的に、単一の成形操作で形成され得ることもまた理解される。このような例において、例えば、容器１１の充填は、開口底部を通して行われ得、底壁１４は、容器１１が充填された後に超音波溶接される。
【００３０】
さらに、本発明の１つの局面に従って、傾斜したガイド壁４２が、頂壁３４に隣接した位置で、分配開口部３６と重なる関係で、側壁３２から傾斜した様式で下方に延びる。この構成で、発散通路４４が、頂壁３４と傾斜したガイド壁４２との間に形成され、この発散通路は、医薬開口部３６のすぐ内側の位置において、医薬単位４１のサイズよりわずかに寸法が大きい。その結果、１列のみの医薬単位４１が通路４４内を通過し得、その結果、図８に最もよく示されるように、一度に１つの医薬単位４１のみが、分配開口部３６を通して分配される。しかし、通路４４および／または分配開口部３６の寸法は、一度に所定の数の医薬単位４１（例えば、２つ、３つ、またはより多く）が分配開口部３６を通して分配されることを可能にするように、変更され得ることが理解される。
【００３１】
従って、挿入物３０は、包装ライン操作に対する最小の変化で、そして患者の使用工程を追加せずに、１回分のみの医薬単位が分配されることを可能にする改変された開口部（すなわち、分配開口部３６）を提供するように、パッケージ１０を改変する。さらに、挿入物３０は、元の製造操作中に導入され得るか、または充填されたパッケージ１０が販売された後に挿入され得、これによって包装ライン操作に対して行う変化を最小にすることが、理解される。１つの実施形態において、開口部１８は、広い開口部であり、これによって、広口パッケージの所望の加工特徴を保持する。なおさらに、分配開口部３６および／または通路４４のサイズは、分配されるべき医薬単位の特定のサイズに従って変更され得る。
【００３２】
１つの実施形態において、挿入物３０は、分配を一度に１つの医薬単位４１に制限する。分配を一度に１つの医薬単位に制限する際に、患者は、投薬要件により従いやすいと考えられる。また、医薬４１が床に落とすこと（一度に複数の医薬単位が望ましくなく分配される場合に起こり得るような）により汚染される可能性が低下する。さらに、取り外し可能な蓋２２の、小児が取り扱えない特徴は、挿入物３０が適所にある状態で、機能的なままであり得る。
【００３３】
ここで図９（および図９の垂直断面図である図１０）を参照すると、本発明の他の実施形態によるパッケージが示されている。パッケージ１０は、医薬単位を保持するための容器１１であって、一度に１回分のみの医薬単位をこの容器から分配するためのサイズにされた分配開口部３６を有する、容器、分配開口部３６のための取り外し可能な蓋２２、およびこの分配開口部から間隔を空けて、１回分の医薬単位のみがこの分配開口部へと通ることを可能にする通路を形成するガイド壁４２を備える。分配開口部３６は、１つの成形頂部として容器１１と一緒に形成され得ることが理解される。１つの実施形態において、容器１１の充填は開口底部を通して行われ得、底壁１４は、容器１１が充填された後に超音波溶接される。このパッケージは、任意の適切な形状（例えば、箱型、円筒形、三角形、円形など）であり得る。同様に、このパッケージは、任意の適切な材料（ガラス、プラスチック、金属などが挙げられる）から作製され得る。１つの実施形態において、このパッケージは瓶であり、そしてこの取り外し可能な蓋は、小児が取り扱えない特徴を有するキャップである。
【００３４】
取り外し可能な蓋２２は、分配開口部３６から完全に取り外され得るか、または適切な回動、掛け金、もしくは蝶番機構で取り外し可能に接続され得る。好ましくは、取り外し可能な蓋２２は、小児が取り扱えない特徴を備える。特定の実施形態において、取り外し可能な蓋２２は、側壁２４、および側壁２４の上端を閉鎖する頂壁２６を有する。
【００３５】
特定の実施形態において、容器１１は、容器の側壁１２の上端にネック１６を有し、このネックは、好ましくは、分配開口部３６を有する。１つの実施形態において、ネック１６の外側表面は、ねじ山２０を備える。特定の実施形態において、めねじ２８が、取り外し可能な蓋の側壁２４の内側表面に提供され、ねじ山２０と従来の様式で螺合により係合する。
【００３６】
医薬単位に対する言及は、錠剤、カプセル剤、カプレットなどの分配を包含することが意図されることが理解される。
【００３７】
本発明の他の実施形態は、パッケージ上へのラベルを提供する。このようなラベルは、このパッケージに含まれる薬物の型を確認するのに役立ち得る。適切なラベルは、内部に含まれる特定の医薬の望ましい投薬計画に従う、週、曜日または１日のうちの表示（例えば、夜間／ＰＭまたは午前中／ＡＭ）を含む。適切なラベルはまた、挿入物をパッケージ内に配置するための指示を含み得る。
【００３８】
本発明のさらなる実施形態は、最終使用者による医薬単位の分配を、一度に１回分の医薬単位に制限する方法を提供し、この方法は、本発明の上記パッケージまたは挿入物のうちのいずれかを、この最終使用者に提供する工程を包含する。１つの実施形態において、最終使用者が１回分の医薬単位を落とす危険性が低下する。１つの実施形態において、この最終使用者は、神経学的疾患を患う患者である。
【００３９】
本発明の種々の実施形態が、添付の図面を参照しながら説明されたが、本発明はこれらの正確な実施形態に限定されないこと、ならびに種々の変更および改変が、添付の特許請求の範囲により規定されるような本発明の範囲または趣旨から逸脱することなく当業者によりなされ得ることが、理解される。
【図１】
2011522749.tif 000003
【図２】
2011522749.tif 000004
【図３】
2011522749.tif 000005
【図４】
2011522749.tif 000006
【図５】
2011522749.tif 000007
【図６】
2011522749.tif 000008
【図７】
2011522749.tif 000009
【図８】
2011522749.tif 000010
【図９】
2011522749.tif 000011
【図１０】
2011522749.tif 000012
【国際調査報告】
2011522749.tif 000013
2011522749.tif 000014